(57)【要約】【課題】像担持体から転写材にトナー像を転写する時とは逆方向に像担持体を移動させる際に転写手段にトナーが付着することを防止することのできる画像形成装置を提供する。【解決手段】像担持体５０と、像担持体５０上のトナー像を転写材Ｓに転写するための転写手段５２と、転写手段５２にバイアスを出力するバイアス出力手段５６と、を有する画像形成装置は、バイアス出力手段５６が第１のバイアスを出力すると共に像担持体５２が第１の方向に移動して像担持体５２上のトナー像が転写材Ｓに転写される第１の動作と、バイアス出力手段５６が第２のバイアスを出力すると共に像担持体５２が第１の方向とは逆方向である第２の方向に移動する第２の動作と、を行い、第１のバイアスと第２のバイアスとは極性が異なる構成とする。【選択図】図４
2006171129.tif 000002
【特許請求の範囲】
【請求項１】
トナー像を担持する像担持体と、前記像担持体上のトナー像を転写材に転写するための転写手段と、前記転写手段にバイアスを出力するバイアス出力手段と、を有する画像形成装置において、
前記バイアス出力手段が第１のバイアスを出力すると共に前記像担持体が第１の方向に移動して前記像担持体上のトナー像が転写材に転写される第１の動作と、前記バイアス出力手段が第２のバイアスを出力すると共に前記像担持体が前記第１の方向とは逆方向である第２の方向に移動する第２の動作と、を行い、前記第１のバイアスと前記第２のバイアスとは極性が異なることを特徴とする画像形成装置。
【請求項２】
前記第２のバイアスの極性は、トナーの正規の帯電極性と同極性であることを特徴とする請求項１の画像形成装置。
【請求項３】
前記転写手段は、転写材の搬送手段を介して前記像担持体に当接することを特徴とする請求項１に記載の画像形成装置。
【請求項４】
前記転写手段は、前記像担持体に常時当接していることを特徴とする請求項１、２又は３の画像形成装置。
【請求項５】
前記第２の動作において、前記バイアス出力手段は、前記像担持体の前記第２の方向への移動が開始する前から前記第２のバイアスの出力を開始し、前記像担持体の前記第２の方向への移動が終了した後に前記第２のバイアスの出力を終了することを特徴とする請求項１〜４のいずれかの項に記載の画像形成装置。
【請求項６】
前記第２の動作の後に連続して、前記像担持体が前記第１の方向に移動する第３の動作を行い、該第３の動作において、前記像担持体の前記第１の方向への移動が開始した後所定時間以上、前記バイアス出力手段は前記第２のバイアスと同極性の第３のバイアスを出力することを特徴とする請求項１〜５のいずれかの項に記載の画像形成装置。
【請求項７】
前記所定時間は、前記第２の動作により前記像担持体が前記第２の方向に移動した距離だけ、前記第３の動作により前記像担持体を前記第１の方向に移動させるのに必要な時間であることを特徴とする請求項６の画像形成装置。
【請求項８】
前記転写手段はローラ形状であり、前記所定時間は、該ローラ形状の転写手段を一回転させるのに必要な時間であることを特徴とする請求項６の画像形成装置。
【請求項９】
前記第３の動作において、前記バイアス出力手段は、前記像担持体の前記第１の方向への移動が開始する前から前記第３のバイアスの出力を開始することを特徴とする請求項６、７又は８の画像形成装置。
【請求項１０】
前記第２の動作を少なくとも２回行う際に該第２の動作と第２の動作との間に連続して、前記像担持体が停止又は前記第１の方向に移動する第４の動作を行い、該第４の動作において、前記バイアス出力手段は前記第２のバイアスと同極性の第４のバイアスを出力することを特徴とする請求項１〜５のいずれかの項に記載の画像形成装置。
【請求項１１】
更に、前記像担持体から転写材へのトナー像の転写部よりも前記第１の方向において下流側に位置するクリーニング部で、前記像担持体上からトナーを除去するクリーニング手段を有することを特徴とする請求項１〜１０のいずれかの項に記載の画像形成装置。
【請求項１２】
前記第２の動作により、前記像担持体は、前記第２の方向に前記クリーニング部と前記転写部との間の距離以上移動することを特徴とする請求項１１の画像形成装置。
【請求項１３】
前記像担持体は、その上に静電像が形成された後トナーが供給されることで形成されるトナー像を担持する潜像担持体、又は前記潜像担持体から転写されるトナー像を担持する中間転写体であることを特徴とする請求項１〜１２のいずれかの項に記載の画像形成装置。
【請求項１４】
前記像担持体は、その上に静電像が形成された後トナーが供給されることで形成されたトナー像を担持する潜像担持体から、トナー像が転写される中間転写体であり、前記転写手段と前記クリーニング手段とは、前記像担持体を介して同一部材に対向することを特徴とする請求項１２又は１３の画像形成装置。
【発明の詳細な説明】
【技術分野】
【０００１】
本発明は、電子写真方式を用いたプリンタ、複写機等の画像形成装置に関するものである。
【背景技術】
【０００２】
従来、電子写真方式を用いた画像形成装置は、一般的に、電子写真感光体（感光体）から被転写体へトナー像を転写した後に感光体上に残ったトナー（転写残トナー）を掻き落とすために、クリーニングブレードを備えたクリーニング装置を有する。又、転写残トナーを、例えば現像装置によって回収することで、クリーニング装置を省略したクリーナレスシステムも提案されている。
【０００３】
そして、クリーニング装置を有する画像形成装置において、クリーニングブレードのエッジ部での転写残トナーの感光体への固着を防止するために、感光体を逆回転させること（特許文献１）、或いは２成分現像方式を用いたクリーナレス画像形成装置において、ジャム（紙詰まり）等の異常が発生した場合の緊急停止動作後、或いは電源瞬断（停電等により強制的に電源がオフされること。）後に帯電部などへ未転写トナーが付着するのを防止するために、復帰動作時に感光体を逆回転させること（特許文献２）などが提案されている。このように、必要に応じて感光体を逆回転させる場合がある。
【０００４】
又、感光体上の画像を一度中間転写体に転写した後に転写材に転写する中間転写方式の画像形成装置では、上述のような要求により感光体を逆回転させる場合、感光体と中間転写体の摺擦を防止するため、中間転写体も感光体の動作に合わせて逆回転させる場合がある。
【０００５】
しかしながら、感光体又は中間転写体を逆回転させると、感光体又は中間転写体上の通常の回転方向において転写部より下流側にある転写残トナー、或いはクリーニング部に蓄積された転写残トナーが、転写部に戻ってきてしまうことがある。そして、この転写部に戻ってきたトナーが、多くの場合スポンジローラ等が用いられている転写手段に付着し、その後の画像形成時に転写材の裏面等を汚すことがある。
【０００６】
この問題は、例えば中間転写体を用いた画像形成装置において、転写手段の対向部材が、中間転写体のクリーニング手段の対向部材を兼ねる構成等、転写部とクリーニング手段の距離が近い場合には、多量の転写残トナーが転写部に戻ってくるために特に深刻なものとなる虞がある。
【０００７】
例えば、感光体又は中間転写体から転写手段を離間する離間機構を設けることによって、感光体又は中間転写体を逆回転させる時に転写手段を離間させて、転写手段にトナーが付着することを防止することが可能であると考えられる。しかしながら、このような転写手段の離間機構を設けることは、装置のコストアップにつながる。
【特許文献１】特開２００３−０１５４７１号公報
【特許文献２】特開２００３−０１５４８１号公報
【発明の開示】
【発明が解決しようとする課題】
【０００８】
本発明の目的は、像担持体から転写材にトナー像を転写する時とは逆方向に像担持体を移動させる際に転写手段にトナーが付着することを防止することのできる画像形成装置を提供することである。
【課題を解決するための手段】
【０００９】
上記目的は本発明に係る画像形成装置にて達成される。要約すれば、本発明は、トナー像を担持する像担持体と、前記像担持体上のトナー像を転写材に転写するための転写手段と、前記転写手段にバイアスを出力するバイアス出力手段と、を有する画像形成装置において、前記バイアス出力手段が第１のバイアスを出力すると共に前記像担持体が第１の方向に移動して前記像担持体上のトナー像が転写材に転写される第１の動作と、前記バイアス出力手段が第２のバイアスを出力すると共に前記像担持体が前記第１の方向とは逆方向である第２の方向に移動する第２の動作と、を行い、前記第１のバイアスと前記第２のバイアスとは極性が異なることを特徴とする画像形成装置である。
【発明の効果】
【００１０】
本発明によれば、像担持体から転写材にトナー像を転写する時とは逆方向に像担持体を移動させる際に転写手段にトナーが付着することを防止することができる。
【発明を実施するための最良の形態】
【００１１】
以下、本発明に係る画像形成装置を図面に則して更に詳しく説明する。
【００１２】
実施例１
［画像形成装置の全体構成及び動作］
図１は、本発明に係る画像形成装置の一実施例の概略断面を示す。本実施例の画像形成装置１００は、２成分現像方式、中間転写方式を採用したタンデム型の画像形成装置である。即ち、本実施例の画像形成装置１００は、静電像が形成された後トナーが供給されることで形成されるトナー像を担持する潜像担持体としての第１の像担持体と、この第１の像担持体から転写されるトナー像を担持する中間転写体としての第２の像担持体とを有する。画像形成装置１００は、画像形成装置本体に接続されたパーソナルコンピュータ等のホスト機器或いは画像読み取り装置からの画像情報信号に従って、電子写真方式により転写材（記録用紙、ＯＨＰシート、布等）にフルカラー画像を形成し得る。
【００１３】
画像形成装置１００は、複数の像形成手段として、それぞれイエロー、マゼンタ、シアン、ブラックの各色の画像を形成する第１、第２、第３及び第４の画像形成部ＰＹ、ＰＭ、ＰＣ、ＰＫを有する。本実施例では、各画像形成部の構成及び動作は、現像色が異なる以外は実質的に同一であるので、以下、特に区別を要しない場合は、何れかの色用の画像形成部に属する要素であることを表すために符号に与えた添え字Ｙ、Ｍ、Ｃ、Ｋは省略して総括的に説明する。
【００１４】
画像形成装置１００は、各画像形成部Ｐにおいて、画像信号に基づいて、第１の像担持体としての円筒型の電子写真感光体（以下「感光ドラム」という。）１上に単色トナー像が形成され、この単色トナー像が第２の像担持体としてのベルト状の中間転写体（以下「中間転写ベルト」という。）５０上で重ね合わされて多色トナー像が形成される。そして、この多色トナー像が中間転写ベルト５０から転写材Ｓへと転写された後、その多色トナー像が転写材Ｓ上に定着される。
【００１５】
更に説明すると、画像形成部Ｐは、感光ドラム１の周囲に、帯電手段としての帯電器２、露光手段としてのレーザースキャナ３、現像手段としての現像器４を有する。そして、各画像形成部Ｐの感光ドラム１に対向するように中間転写ベルト５０を備えた転写ユニット５が設けられている。
【００１６】
本実施例では、感光ドラム１は、アルミシリンダの外周に有機光導伝層を塗布して構成される。感光ドラム１は、駆動手段としての駆動モータ（図示せず）の駆動力が伝達されて回転する。駆動モータは、感光ドラム１を正逆回転させることが可能であり、通常の画像形成時、即ち、転写材Ｓに転写して出力すべき画像の形成時には、画像形成動作に応じて感光ドラム１を図示矢印Ｆ１方向（反時計周り）に回転（以下「順回転」という。）させる。
【００１７】
通常の画像形成時には、回転する感光ドラム１は、帯電器２により一様に帯電される。本実施例では、帯電器２は、感光ドラム１に接触して感光ドラム１の回転に対し従動回転する帯電ローラである。帯電ローラ２には、帯電バイアスとして所定の極性（本実施例では負極性）のＤＣ電圧が、帯電バイアス電源（図示せず）から印加される。
【００１８】
帯電された感光ドラム１は、レーザースキャナ３により、画像信号に応じて走査露光される。これにより、感光ドラム１上に静電像（潜像）が形成される。露光光は、画像信号に基づいて画像処理部（図示せず）が変換した信号に応じて画像形成制御部（図示せず）により駆動されたレーザースキャナ３から送られる。この光により感光ドラム１の表面が選択的に露光されることで、感光ドラム１上に静電像が形成される。
【００１９】
感光ドラム１に形成された静電像は、現像器４によってトナー像として現像される。本実施例では、現像器４は、現像剤として非磁性トナー粒子（トナー）と、磁性キャリア粒子（キャリア）とを備えた２成分現像剤を収容している。又、現像器４は、現像剤担持体として回転自在に設けられた現像スリーブ４１を有する。現像スリーブ４１は、非磁性の金属で形成されており、磁界発生手段としてのマグネットロール（図示せず）を内蔵している。マグネットロールは、周面に沿って複数の磁極を有し、現像器４に対し固定配置されている。
【００２０】
現像器４内に収容された２成分現像剤は、マグネットロールの磁力によって現像スリーブ４１の表面に担持される。現像スリーブ４１上に担持された２成分現像剤は、現像剤規制部材（図示せず）によってその量が規制されると共に、現像スリーブ４１の回転によって感光ドラム１と対向する領域（現像領域）に搬送される。マグネットロールが現像領域付近に有する磁極により形成された磁界によって、現像スリーブ４１上の２成分現像剤は現像領域において穂立ち（磁気ブラシ）を形成する。本実施例では、この磁気ブラシを感光ドラム１に接触させる。又、現像スリーブ４１には、所定の極性（本実施例では負極性）・電位のＤＣ電圧と、ＡＣ電圧との両成分を重畳した現像バイアスが、現像バイアス電源（図示せず）から印加される。これによって、感光ドラム１上の静電像に応じて２成分現像剤中のトナーが感光ドラム１に供給される。
【００２１】
本実施例では、感光ドラム１上の静電像は、反転現像、即ち、感光ドラム１の帯電極性と同極性（本実施例では負極性）に帯電したトナーを、感光ドラム１上の露光部（電位が減衰した部分）に付着させることにより現像される。又、現像器４は、画像形成装置本体に対して脱着可能に取り付けられている。現像器４には、画像形成装置本体に対して着脱可能な、補給現像剤容器としてのトナーカートリッジ１１が接続されている。そして、現像により消費した量に相当するトナーを含む補給現像剤が、トナーカートリッジ１１から現像器４に随時補給されるようになっている。
【００２２】
尚、本実施例の現像器４は、後述のように、感光ドラム１上の転写残トナーを除去するクリーニング手段を兼ねる。
【００２３】
感光ドラム１上に形成されたトナー像は、転写ユニット５が備える中間転写ベルト５０に転写（一次転写）される。本実施例では、中間転写ベルト５０は、３個のローラ５３、５４、５５に掛け回されて、各画像形成部Ｐの感光ドラム１に接触して回転（周回移動）する。中間転写ベルト５０は、駆動手段としての駆動モータ（図示せず）の駆動力が上記３個のローラのうち駆動ローラ５３に伝達されることにより回転する。駆動モータは、駆動ローラ５３を正逆回転させることで、中間転写ベルト５０を正逆回転させることが可能であり、通常の画像形成時には、中間転写ベルト５０を図示矢印Ｆ２方向（時計周り）に回転（以下「順回転」という。）させる。中間転写ベルト５０を介して一次転写手段としての一次転写ローラ５１が感光ドラム１に押圧され、中間転写ベルト５０と感光ドラム１とが当接するニップ（一次転写部）ｎ１が形成されている。
【００２４】
例えば、フルカラー画像の形成時には、各感光ドラム１の回転に伴って中間転写ベルト５０が回転すると共に、各一次転写ローラ５１にトナーの正規の帯電極性（本実施例では負極性）とは逆極性（本実施例では正極性）のバイアス（一次転写バイアス）が、一次転写バイアス電源（図示せず）から印加される。これにより、各感光ドラム１上の単色トナー像が、一次転写部ｎ１において順次に中間転写ベルト５０に転写される。
【００２５】
その後、中間転写ベルト５０上の多色トナー像は、転写材Ｓに一括して転写（二次転写）される。本実施例では、中間転写ベルト５０と、二次転写手段としての二次転写ローラ５２とで転写材Ｓを挟持搬送する。又、二次転写ローラ５２にトナーの正規の帯電極性（本実施例では負極性）とは逆極性（本実施例では正極性）のバイアス（二次転写バイアス）が、二次転写バイアス電源５６（図３）から印加される。これによって、中間転写ベルト５０上の多色トナー像が、転写材Ｓに転写される。二次転写ローラ５２は、中間転写ベルト５０が張架されたローラのうち、対向部材としての対向ローラ５３に対向して配置される。二次転写ローラ５２は、常に中間転写ベルト５０に向けて押圧されており、常時中間転写ベルト５０と二次転写ローラ５２とが当接するニップ（二次転写部）ｎ２が形成されている。
【００２６】
ここで、転写材Ｓは、転写材供給部としてのカセット９ａ、或いは手差しトレイ９ｂから１枚ずつ送り出された後、レジストローラ１０によって中間転写ベルト５０上の多色トナー像と同期がとられて二次転写部ｎ２に搬送されてくる。
【００２７】
多色トナー像が転写された転写材Ｓは、中間転写ベルト５０から分離されて、定着手段としての定着部７に搬送される。定着部７は、転写材Ｓを加熱する定着ローラ７１と、転写材Ｓを定着ローラ７１に圧接させるための加圧ローラ７２を備えている。両ローラ７１、７２は、中空状に形成され、それぞれヒータ７３、７４を内蔵する。定着部７は、転写材Ｓを定着ローラ７１と加圧ローラ７２とで挟持搬送することにより、転写材Ｓ上に転写された多色トナー像を溶融定着させる。即ち、多色トナー像を保持した転写材Ｓは、定着ローラ７１と加圧ローラ７２により搬送されると共に、熱及び圧力を加えられ、トナーが表面に定着される。
【００２８】
トナー像が定着された転写材Ｓは、その後、排出ローラ（図示せず）によって排出トレイ（図示せず）に排出される。
【００２９】
一次転写工程で感光ドラム１に残った転写残トナーは、現像器２によって現像同時クリーニングされる。つまり、一次転写工程で感光ドラム１に残った転写残トナーは、一次転写バイアスの影響を受けて、正極性に変化している。この転写残トナーは、帯電ローラ２と感光ドラム１との間に形成されたニップを通過する際に、帯電ローラ２に印加された帯電バイアスによって再び負極性に帯電される。そして、更に感光ドラム１の回転によって搬送されて現像領域を通過する際に現像バイアスによって、現像器４内のトナーと同様に、非画像部では現像スリーブ４１側に戻り、画像部では感光ドラム１へ付着する。このように、本実施例では、現像器４に、転写残トナーを回収・再利用する機能を持たせることで、クリーナレスシステムが実現されている。即ち、本実施例では、現像領域が、感光ドラム１のクリーニング部ＣＬ１となる。
【００３０】
一方、二次転写工程で中間転写ベルト５０に残った転写残トナーは、クリーニング手段としての中間転写体クリーナ８によってクリーニングされる。中間転写体クリーナ８は、中間転写ベルト５０上の転写残トナーを掻き落とすクリーニング部材としてのクリーニングブレード８１と、掻き落とされたトナーを捕集するすくいシート８２とを有する。クリーニングブレード８１は、自由端側のエッジ部が中間転写ベルト５０の表面に当接し、中間転写ベルト５０上の転写残トナーを掻き取る。即ち、本実施例では、クリーニングブレード８１の中間転写ベルト５０への当接部が、中間転写ベルト５０のクリーニング部ＣＬ２となる。クリーニングブレード８１により中間転写ベルト５０から除去された転写残トナーは、廃トナー容器（図示せず）に蓄えられる。又、本実施例ではクリーニングブレード８１は、常時中間転写ベルト５０に向けて押圧されている。
【００３１】
尚、画像形成装置１００は、所望の色用の単一若しくは複数の画像形成部を用いて、単色又はマルチカラー画像を形成することも当然可能である。
【００３２】
［復帰動作］
本実施例では、画像形成装置１００は、ジャム（紙詰まり）等の異常が発生した場合に、緊急停止動作を行う。緊急停止動作としては、感光ドラム１、中間転写ベルト５０の回転駆動停止、帯電ローラ２、現像スリーブ４１、一次転写ローラ５１、二次転写ローラ５２などへのバイアス供給停止などが挙げられる。
【００３３】
そして、このような緊急停止動作後、或いは電源瞬断時（停電等による強制的に電源がオフされること。）後に、再び画像形成装置１００が動作可能な状態になった際には、画像形成装置１００は、所定の復帰動作を行った後に、画像形成を再開することが可能な状態となる。
【００３４】
つまり、ジャム（紙詰まり）等による緊急停止動作時、或いは電源瞬断時などに感光ドラム１が停止されると、図２（ａ）に示すように帯電ローラ２と一次転写ローラ５１との間に未転写トナーｔが残ることがある。このため、本実施例では、上述のような緊急停止動作後、或いは電源瞬断後の復帰動作時において、図２（ｂ）に示すように感光ドラム１を通常の画像形成時とは逆方向である図示矢印Ｂ１方向（時計回り）に回転（以下「逆回転」という。）させると共に、現像器４の現像スリーブ４１に回収バイアス（例えば、通常の画像形成時とは逆極性のバイアス）を印加して、未転写トナーを現像器４に回収する。これにより、帯電ローラ２に未転写トナーｔが付着することを防止する。
【００３５】
ところで、上記復帰動作時には、感光ドラム１に当接して配置された中間転写ベルト５０が感光ドラム１と摺擦することにより、感光ドラム１或いは中間転写ベルト５０の表面が磨耗することなどを防ぐために、中間転写ベルト５０も感光ドラム１の動きに合わせて、通常の画像形成時とは逆方向である図示矢印Ｂ２方向（反時計回り）に回転（以下「逆回転」という。）させる必要がある。
【００３６】
しかしながら、中間転写ベルト５０の順回転方向Ｆ２における二次転写ローラ５２からクリーニング部ＣＬ２までの距離をＬとすると、中間転写ベルト５０を距離Ｌ以上逆回転させた場合、中間転写体クリーナ８に蓄積されていた転写残トナーｔが二次転写部ｎ２に戻ってくる。
【００３７】
この時、特に二次転写ローラ５２が中間転写ベルト５０に常に当接している構成では、この二次転写部ｎ２に戻ってきた転写残トナーｔが二次転写ローラ５２に付着し、その後の印字時に転写材Ｓの裏面を汚し易くなる。又、転写ベルト５０を逆回転させる距離がＬ以下である場合も、中間転写ベルト５０上に微量に残されていた転写残トナーｔが二次転写ローラ５２に付着することがある。
【００３８】
そこで、本実施例では、画像形成装置１００は、二次転写ローラ５２にバイアスを出力するバイアス出力手段としての二次転写バイアス電源５６が第１のバイアスを出力すると共に中間転写ベルト５０が第１の方向（順回転方向）Ｆ２に移動して中間転写ベルト５０上のトナー像が転写材Ｐに転写される第１の動作と、二次転写バイアス電源５６が第２のバイアスを出力すると共に中間転写ベルト５０が第２の方向（逆回転方向）Ｂ２に移動する第２の動作と、を行い、第１のバイアスと第２のバイアスとの極性を異ならせる構成とする。
【００３９】
本実施例では、上記第１の動作は通常の画像形成時に行われ、この時転写バイアス電源５６は、第１のバイアスとして通常の画像形成時の二次転写バイアス、即ち、トナーの正規の帯電極性とは逆極性（本実施例では正極性）のバイアス（以下「正規極性バイアス」という。）を出力する（図３）。一方、本実施例では、上記第２の動作は復帰動作時に行われ、この時転写バイアス電源５６は、第２のバイアスとして通常の画像形成時の二次転写バイアスとは逆極性、即ち、トナーの正規の帯電極性と同極性（本実施例では負極性）のバイアス（以下「逆極性バイアス」という。）を出力する（図４）。
【００４０】
更に説明すると、図３（ａ）は通常の画像形成時の二次転写部ｎ２を示しており、図３（ｂ）はその時の中間転写ベルト５０の回転、二次転写ローラ５２に印加するバイアスの概略制御チャートを示す。本実施例では、通常の画像形成時には、中間転写ベルト５０は順回転（矢印Ｆ２方向）して、二次転写ローラ５２には正規極性バイアス（本実施例では正極性）が印加される。
【００４１】
一方、図４（ａ）、（ｂ）は復帰動作時において中間転写ベルト５０を逆回転させる際の図３（ａ）、（ｂ）と同様の図を示している。本実施例では、復帰動作時において、中間転写ベルト５０を逆回転（矢印Ｂ２方向）させる時には、二次転写ローラ５２に逆極性バイアス、即ち、トナーの正規の帯電極性と同極性であり、且つ、通常の画像形成時とは逆極性のバイアス（本実施例では負極性）が印加される。これによって、電気的反発力によって、転写残トナーｔが二次転写ローラ５２に付着することを抑制することができる。
【００４２】
ここで、図４（ｂ）に示すように、中間転写ベルト５０の逆回転を開始する前から逆極性バイアスの印加を開始し、逆回転終了後に逆極性のバイアスの印加を終了することが好ましい。これにより、より確実に転写残トナーが二次転写ローラ５２に付着することを抑制することができる。
【００４３】
又、本実施例では、復帰動作において、次の画像形成動作に備えるために、上述のようにして感光ドラム１を逆回転させた後に、感光ドラム１を順回転させて準備動作を行う（例えば、感光ドラム１の数回転分、帯電、露光を行う。）。この時、上記同様の理由から、中間転写ベルト５０も同様に順回転する。
【００４４】
図５（ａ）、（ｂ）は、復帰動作時において中間転写ベルト５０を逆回転させた後に順回転させる際の、図３（ａ）、（ｂ）と同様の図を示している。本実施例では、復帰動作時において再び中間転写ベルト５０を順回転させる時に、その順回転を開始した後所定時間以上は、二次転写ローラ５２に逆極性バイアス（本実施例では負極性）が印加される。
【００４５】
つまり、本実施例では、復帰動作時に、中間転写ベルト５０を逆回転させると共に転写バイアス電源５６が第２のバイアス（逆極性バイアス）を出力する第２の動作と、この第２の動作の後に連続して中間転写ベルト５０を順回転させる第３の動作とが行われる。そして、この第３の動作において、中間転写ベルト５０の順回転が開始した後に所定時間以上は、転写バイアス電源５６は第３のバイアス（逆極性バイアス）を出力する。
【００４６】
尚、中間転写ベルト５０が逆回転する時に二次転写バイアス電源５６が出力する第２のバイアスと、中間転写ベルト５０が順回転する時に二次転写バイアス電源５６が出力する第３のバイアスとの値は、同じであっても異なっていてもよい。
【００４７】
ここで、上記所定時間は、中間転写ベルト５０を逆回転させることにより二次転写部ｎ２を通過した転写残トナー（クリーニング部ＣＬ２から運ばれたもの等）が、中間転写ベルト５０を再び順回転させることにより二次転写部ｎ２を通過し終わるのに十分な時間以上であることが望ましい。つまり、上記所定時間は、好ましくは、上記第２の動作により中間転写ベルト５０を逆回転させた距離だけ、上記第３の動作により中間転写ベルト５０を順回転させるのに必要な時間である。
【００４８】
このように、中間転写ベルト５０を逆回転させた後に順回転させる際に、その順回転を開始した後所定時間以上は、逆極性バイアス（本実施例では負極性）を二次転写ローラ５２に印加する。これによって、一度、二次転写部ｎ２よりも中間転写ベルト５０の順回転方向Ｆ２において上流側に移動した転写残トナーが、中間転写ベルト５０を順回転させることにより二次転写ローラ５２に付着することを抑制することができる。
【００４９】
又、二次転写手段が本実施例のようにローラ形状である場合、上記所定時間を、ローラを１回転させるのに必要な時間以上とすることによって、仮に二次転写ローラ５２の外周にトナーが付着している場合にも、そのトナーを電気的反発力により二次転写ベルト５０に戻し、ローラの全周にわたり汚れを抑制することができる。
【００５０】
更に、図５（ｂ）に示すように、中間転写ベルト５０を逆回転させた後に順回転させる際に、その順回転を開始する前から逆極性バイアスの印加を開始することが好ましい。これにより、より確実に転写残トナーが二次転写ローラ５２に付着することを抑制することができる。
【００５１】
本実施例では、制御手段として、画像形成装置１００の動作を統括制御する画像形成制御部のコントローラ１２が、感光ドラム１、中間転写ベルト５０の回転、帯電ローラ２、現像スリーブ４１、一次転写ローラ５１、二次転写ローラ５２へのバイアスの印加等を制御する。通常の画像形成時には、コントローラ１２は、記憶手段としてのＲＯＭに記憶されている画像形成プログラムに従って、画像形成装置１００の各部をシーケンス動作させることにより転写材Ｓに画像を形成して出力させる。コントローラ１２は、通常の画像形成動作中にジャム（紙詰まり）等の異常を検知すると、画像形成装置１００の動作を緊急停止する。そして、コントローラ１２は、画像形成装置１００が緊急停止する原因となった障害が除去されたことを検知した後に、ＲＯＭに記憶された復帰動作プログラムに従って、上述のような復帰動作を行う（例えば停電等により不意に電源が遮断された後に電源が再び投入された後も同様である。）。
【００５２】
コントローラ１２は、復帰動作時には、駆動モータを制御することにより、所定のタイミングで感光ドラム１及び中間転写ベルト５０を正逆回転させる。又、図３〜５に示すように、二次転写バイアス電源５６は、出力するバイアスの極性を切り替えるための切り替え手段５６ａを有する。コントローラ１２は、復帰動作時に、所定のタイミングで切り替え手段５６ａを作動させて、二次転写バイアス電源５６が出力するバイアスの極性を切り替える。
【００５３】
尚、上述のように、中間転写ベルト５０の順回転方向Ｆ２における二次転写ローラ５２からクリーニング部ＣＬ２までの距離Ｌ以上中間転写ベルト５０を逆回転させる際に、クリーニング部ＣＬ２から運ばれる転写残トナーｔが二次転写ローラ５２に到達することにより、二次転写ローラ５２へのトナーの付着がより顕著となる。従って、例えば上述の復帰動作時において、中間転写ベルト５０の逆回転量が可変とされている場合などには、中間転写ベルト５０を距離Ｌ以上逆回転させるときのみ、二次転写ローラ５２に逆極性バイアスを印加してもよい。この場合、二次転写ローラ５２への逆極性バイアスの印加を開始するタイミングは、中間転写ベルト５０の逆回転を開始する前の所定のタイミング、或いは中間転写ベルト５０の逆回転を開始する際に中間転写体クリーナ８のクリーニング部ＣＬにあった中間転写ベルト５０上の位置が二次転写部ｎ２に到達する前の所定のタイミング等とすることができる。
【００５４】
以上、本実施例によれば、中間転写ベルト５０と二次転写ローラ５２との離間機構を要することなく、簡易な構成で、ジャム（紙詰まり）後、或いは電源瞬断後の復帰動作時等に、中間転写ベルト５０を逆回転させる時及びその後の順回転開始時の二次転写ローラ５２の汚れを抑制することが可能となる。
【００５５】
実施例２
次に、本発明の他の実施例について説明する。図６は、本実施例の画像形成装置２００の要部概略断面を示す。本実施例の画像形成装置において、実施例１の画像形成装置１００と実質的に同一若しくは相当する機能、構成を有する要素には同一符号を付し、詳しい説明は省略する。
【００５６】
本実施例の画像形成装置２００は、１成分現像方式を採用している。即ち、現像器４は、実質的にトナー粒子のみから成る現像剤（外添剤等を含んでいてよい。）を用いて、感光ドラム１上に形成された静電像をトナー像として現像する。現像器４による現像動作は、実施例１と概略同様であり、現像剤担持体としての現像スリーブ４１上にトナーを担持して現像領域に搬送することにより、感光ドラム１上の静電像に応じて感光ドラム１にトナーを供給し、静電像をトナー像として現像する。
【００５７】
又、本実施例の画像形成装置２００は、感光ドラム１上の転写残トナーを掻き落とすクリーニング手段としての感光体クリーナ６を有している。本実施例では、感光体クリーナ６は、クリーニング部材として、感光ドラム１に当接するクリーニングブレード６１を有する。クリーニングブレード６１は、自由端側のエッジ部が感光ドラム１の表面に当接し、感光ドラム１上の転写残トナーを掻き取る。又、クリーニングブレード６１によって掻き落とされた転写残トナーは、すくいシート６２によって捕集される。本実施例では、感光体クリーナ６のクリーニングブレード６１の感光ドラム１への当接部が、感光ドラム１のクリーニング部ＣＬ１となる。
【００５８】
更に、本実施例の画像形成装置２００では、中間転写ベルト５０は、２つのローラ５３、５４に掛け回されている。そして、本実施例では、二次転写ローラ５２と中間転写クリーナ８とは、対向部材として中間転写ベルト５０が張架されたローラのうち対向ローラ（対向部材）５３に対向して配置されている。即ち、中間転写ベルト５０上のトナー像を転写材Ｓに転写する二次転写ローラ５２の対向部材が、中間転写ベルト５０上の転写残トナーを掻き落とす中間転写体クリーナ８の対向部材を兼ねており、二次転写ローラ５２と中間転写体クリーナ８とは、中間転写ベルト５０を介して同一部材に対向する。本実施例では、二次転写ローラ５２、及び中間転写体クリーナ８のクリーニングブレード８１は、常時中間転写ベルト５０に当接している。クリーニングブレード８１の中間転写ベルト５０への当接部が、中間転写ベルト５０のクリーニング部ＣＬ２となる。
【００５９】
本実施例の画像形成装置２００のその他の構成は、実質的に実施例１の画像形成装置１００と同じである。
【００６０】
本実施例の画像形成装置２００は、感光ドラム１上の転写残トナーｔを感光体クリーナ６のクリーニングブレード６１によって掻き落とすため、クリーニングブレード６１のエッジ部の転写残トナーｔが圧力を受けて凝集し、一定量の転写残トナーが滞留し続ける。こうして凝集した転写残トナーｔは、感光ドラム１の動作を停止すると、図７（ａ）に示すように、そのままクリーニングブレード６１のエッジ部に残ることとなる。特に、高温高湿環境等においては、この転写残トナーｔは、クリーニングブレード６１のエッジ部及び感光ドラム１に固着し易く、クリーニング不良や画像欠陥の原因となることがある。
【００６１】
上述のような感光体クリーナ６のクリーニングブレード６１のエッジ部への転写残トナーｔの固着を防ぐためには、画像形成動作の終了後に、図７（ｂ）に示すように感光ドラム１を逆回転させ、クリーニングブレード６１のエッジ部の圧力を解放し、転写残トナーｔをならす動作（トナー固着防止動作）を行うことが効果的である。
【００６２】
又、転写残トナーをならす効果を増大させるために、感光ドラム１の逆回転の合間に、感光ドラム１を停止又は順回転させる動作を挟み、これを数回繰り返すこともできる。
【００６３】
尚、トナー固着防止動作は、画像形成動作の終了毎に行うこともできるが、定期的に行ったり、高温高湿環境であることを環境検知センサにより検知した際に行ったりすることもできる。
【００６４】
このように感光ドラム１の逆回転、更にはその逆回転の合間に停止又は順回転を行う際に、実施例１と同様、感光ドラム１、中間転写ベルト５０の摺擦による摩耗等を防ぐために、中間転写ベルト５０を感光ドラム１の動きに合わせて、逆回転、或いは逆回転及び停止若しくは順回転させる必要がある。
【００６５】
しかしながら、実施例１にて説明したように、中間転写ベルト５０を逆回転させると、中間転写体クリーナ８に蓄積されていた転写残トナーｔが二次転写部ｎ２に戻ってくる。特に、本実施例のように、二次転写ローラ５０と中間転写体クリーナ８とが同一の部材に対向し、二次転写部ｎ２と中間転写体クリーナ８のクリーニング部ＣＬ２との間の距離が短くなっている場合には、中間転写ベルト５０を逆回転させると、クリーニング部ＣＬ２から運ばれた転写残トナーｔは直ぐに二次転写部ｎ２に到達する。そのため、二次転写ローラ５２が中間転写ベルト５０に常に当接している構成では、二次転写ローラ５２にこの転写残トナーｔが付着することによって、その後の画像形成時に転写材Ｓの裏面を汚し易くなる。
【００６６】
そこで、本実施例の画像形成装置２００では、実施例１と同様、二次転写ローラ５２に逆極性バイアスを印加することにより、電気的反発力によって、転写残トナーが二次転写ローラ５２に付着することを抑制する。
【００６７】
更に説明すると、本実施例では、上記トナー固着防止動作として、感光ドラム１及び中間転写ベルト５０の逆回転と停止を複数回繰り返す。
【００６８】
そして、本実施例によれば、図８（ａ）、（ｂ）に示すように、中間転写ベルト５０を逆回転（矢印Ｂ２方向）させる時、及び中間転写ベルト５０の逆回転の合間に挟まれる停止時に、二次転写ローラ５２に逆極性バイアス、即ち、トナーの正規の帯電極性と同極性であり、且つ、通常の画像形成時とは逆極性のバイアス（本実施例では負極性）が印加される。本実施例では、中間転写ベルト５０の逆回転及び停止を繰り返す一連の動作中、二次転写ローラ５２に連続して逆極性バイアスが印加され続ける。これによって、転写残トナーｔが二次転写ローラ５２に付着することを抑制することができる。
【００６９】
即ち、本実施例では、二次転写バイアス電源５６が第２のバイアス（逆極性バイアス）を出力すると共に中間転写ベルト５０が第２の方向（逆回転方向）Ｂ２に移動する第２の動作は、トナー固着防止動作時に行われる。又、本実施例では、トナー固着防止動作時に、少なくとも２回の第２の動作を行う際に、第２の動作と第２の動作の間に連続して、中間転写ベルト５０が停止又は順回転（本実施例では特に停止）する第４の動作を行い、この第４の動作において、二次転写バイアス電源５６は上記第２のバイアス（逆極性バイアス）と同極性の第４のバイアスを出力する。
【００７０】
尚、中間転写ベルト５０が逆回転する時に二次転写バイアス電源５６が出力する第２のバイアスと、中間転写ベルト５０が停止又は順回転（本実施例では特に停止）する時に二次転写バイアス電源５６が出力する第４のバイアスとの値は、同じであっても異なっていてもよい。
【００７１】
又、図９（ａ）、（ｂ）に示すように、実施例１と同様に、再び中間転写ベルト５０を順方向に回転させる（第３の動作）時に、上記第２の動作により中間転写ベルト５０を逆回転させた距離だけ中間転写ベルト５０を順回転させるのに必要な時間以上、逆極性バイアス（本実施例では負極性）を二次転写ローラ５２に印加することが好ましい。これによって、一度二次転写部ｎ２よりも中間転写ベルト５０の順回転方向Ｆ２において上流側に移動した転写残トナーが、二次転写ローラ５２に付着することを抑制する。
【００７２】
本実施例では、上記第４の動作として中間転写ベルト５０の逆回転の合間に中間転写ベルトを停止させたが、上記第４の動作として上記停止動作の代わりに若しくは加えて、中間転写ベルト５０の逆回転の合間に中間転写ベルト５０を順回転させることができる。
【００７３】
実施例１と同様に、本実施例では、制御手段として、画像形成装置１００の動作を統括制御する画像形成制御部のコントローラ１２が、感光ドラム１、中間転写ベルト５０の回転、帯電ローラ２、現像スリーブ４１、一次転写ローラ５１、二次転写ローラ５２へのバイアスの印加等を制御する。通常の画像形成時には、コントローラ１２は、記憶手段としてのＲＯＭに記憶されている画像形成プログラムに従って、画像形成装置１００の各部をシーケンス動作させることにより転写材Ｓに画像を形成して出力させる。又、コントローラ１２は、通常の画像形成動作の終了後（例えば、１つのジョブ（一の画像形成開始指示による単数又は複数の転写材に対する一連の画像形成動作）が終了する毎）に、ＲＯＭに記憶されたトナー固着防止動作プログラムに従って、上述のような復帰動作を行う。
【００７４】
コントローラ１２は、トナー固着防止動作時には、駆動モータを制御することにより、所定のタイミングで感光ドラム１及び中間転写ベルト５０を正逆回転、又停止させる。又、コントローラ１２は、トナー固着防止動作時に、所定のタイミングで切り替え手段５６ａを作動させて、二次転写バイアス電源５６が出力するバイアスの極性を切り替える。
【００７５】
以上、本実施例によれば、中間転写ベルト５０と二次転写ローラ５２との離間機構を要することなく、簡易な構成で、トナー固着防止動作時等に中間転写ベルト５０の逆回転時だけでなく逆回転動作の合間に挟まれる停止時にも逆極性バイアスを二次転写ローラ５２に印加することによって、二次転写ローラ５２の汚れを確実に抑制することができる。
【００７６】
実施例３
次に、本発明の更に他の実施例について説明する。
【００７７】
上記各実施例では、本発明を中間転写方式の画像形成装置に適用した場合について説明したが、本発明はこれに限定されるものではない。本発明は、静電像が形成された後トナーが供給されることで形成されるトナー像を担持する潜像担持体である像担持体から転写材に直接トナー像が転写される画像形成装置においても等しく適用し得るものである。
【００７８】
例えば、図１０は、転写部ｎにおいて感光ドラム１に対向して設けられた転写手段としての転写ローラ５１に転写バイアスを印加することで、感光ドラム１から転写材Ｓにトナー像を直接転写する画像形成装置３００の要部概略断面を示す。図１０に示す画像形成装置３００において、実施例１、２の画像形成装置１００と実質的に同一若しくは相当する機能、構成を有する要素には同一符号を付し、詳しい説明は省略する。
【００７９】
図１０に示す画像形成装置３００では、実施例２と同様に、感光ドラム１上の転写残トナーは、感光体クリーナ６においてクリーニングブレード６１によって掻き落とされ、すくいシート６２によって捕集される。本実施例では、感光体クリーナ６のクリーニングブレード６１の感光ドラム１に対する当接部がクリーニング部ＣＬとなる。
【００８０】
斯かる構成においては、実施例２と同様に、所定のタイミングでトナー固着防止動作を行うことで、転写残トナーが、クリーニングブレード６１のエッジ部に固着するのを防止することができる。しかし、トナー固着防止動作において感光ドラム１を、通常の画像形成時の回転方向（矢印Ｆ方向）とは反対方向（矢印Ｂ方向）に逆回転させると、クリーニングブレード６１のエッジ部から感光ドラム１上に戻された転写残トナーｔが、転写ローラ５１に付着し易い。これは、上記各実施例における二次転写部ｎ２と同様に、特に、感光ドラム１の逆回転方向（矢印Ｂ方向）においてクリーニング部ＣＬから転写部ｎまでの距離以上、感光ドラム１を逆回転させる場合に顕著となる。
【００８１】
そこで、本実施例においても、実施例２において、二次転写ローラ５２に対して行ったのと同様にして、トナー固着防止動作時に、感光ドラム１を逆回転させる時に、転写ローラ５１に逆極性バイアス、即ち、トナーの正規の帯電極性と同極性であり、且つ、通常の画像形成時とは逆極性のバイアス（本実施例では負極性）が、転写バイアス電源５６から印加される。これにより、感光ドラム１から転写ローラ５１に転写残トナーが付着するのを抑制することができる。
【００８２】
又、実施例２と同様に、感光ドラム１の逆回転の合間に停止又は順方向回転を挟む場合、その停止又は順回転動作時にも逆極性バイアス（本実施例では負極性）を転写ローラ５１に印加することができる。これにより、より確実に転写ローラ５１への転写残トナーの付着を抑制することができる。
【００８３】
図１１は、感光ドラム１から転写材Ｓに直接トナー像を転写する画像形成装置の他の例を示す。図１１の画像形成装置４００では、転写ローラ５１は、転写材搬送手段としての搬送ベルト９０を介して感光ドラム１に押圧されている。そして、転写ローラ５１によって押圧された搬送ベルト９０と感光ドラム１とが当接する転写部ｎにおいて、転写ローラ５１と搬送ベルト９０とが転写手段を構成する。そして、転写バイアス電源５６によって転写ローラ５１、搬送ベルト９０を介して印加される転写バイアスの作用により、感光ドラム１上のトナー像は搬送ベルト９０上に担持された転写材Ｓ上に転写される。
【００８４】
斯かる構成の画像形成装置４００においても、図１０の画像形成装置３００と同様、例えばトナー固着防止動作時に感光ドラム１が逆回転する時（この時搬送ベルト９０も逆回転する。）、更には逆回転の合間の停止又は順回転動作時に、転写ローラ５１に逆極性バイアス（本実施例では負極性）を印加することにより、搬送ベルト９０への転写残トナーの付着を抑制することができる。
【００８５】
又、図１１の画像形成装置４００において、搬送ベルト６０による転写材Ｓの搬送方向に沿って複数の画像形成部（感光ドラム１、帯電ローラ２、現像装置４、感光体クリーナ６、転写ローラ５１、転写バイアス電源５６等を備える。）を有している場合にも、各転写部ｎに関して本発明を等しく適用することができる。
【００８６】
尚、図１０、１１に示す画像形成装置３００、４００について、実施例１、２にて説明したその他の特徴、例えば、感光ドラム１の逆回転を開始する前に転写ローラ５１への逆極性バイアスの印加を開始し、感光ドラム１の逆回転を停止した後に転写ローラ５１への逆極性バイアスの印加を停止すること、或いは、感光ドラム１を逆回転させた後、再び順回転させる際に、所定時間以上は転写ローラ５１に逆極性バイアスを印加することなども同様に適用することができる。
【００８７】
又、図１０、１１の画像形成装置３００、４００において、バイアス出力手段としての転写バイアス電源５６は、実施例２における二次転写バイアス電源５６と同様にして制御される。
【００８８】
上述より明らかなように、図１０、１１に示す画像形成装置３００、４００の転写ローラ５１に対し行ったのと同様にして、実施例１、２の画像形成装置２００の一次転写部ｎ１においても、例えば復帰動作時或いはトナー固着防止動作時に、一次転写ローラ５１に逆極性バイアスを印加してもよい。これにより、一次転写部ｎ１において一次転写ローラ５１を介して一次転写バイアスが印加されて転写手段を構成する中間転写ベルト５０に未転写トナー、或いは転写残トナーが付着するのを抑制することができる。
【００８９】
以上、感光ドラム１から転写材Ｓに直接トナー像を転写する画像形成装置３００、４００においても、転写ローラ５１にトナーが付着して、記録材Ｓの裏汚れ等が発生することを防止することができる。
【００９０】
以上、具体的な実施例に則して本発明を説明したが、本発明は上記各実施例の態様に限定されるものではない。例えば、上記各実施例においては、トナーの正規の帯電極性を負極性とし、通常の画像形成時の転写バイアスの極性を正極性として説明したが、トナーの正規の帯電極性が正極性である場合も本発明は当然適用可能であり、上記各実施例におけるバイアス制御を正負反転させることで同様の効果が得られる。
【図面の簡単な説明】
【００９１】
【図１】本発明を適用し得る画像形成装置の一実施例の概略断面図である。
【図２】復帰動作を説明するための模式図である。
【図３】通常の画像形成時の中間転写ベルトの回転動作及び二次転写バイアス電源の出力バイアスを説明するための模式図である。
【図４】復帰動作時の中間転写ベルトの回転動作及び二次転写バイアス電源の出力バイアスを説明するための模式図である。
【図５】復帰動作時の中間転写ベルトの回転動作及び二次転写バイアス電源の出力バイアスを説明するための模式図である。
【図６】本発明を適用し得る画像形成装置の他の実施例の要部概略断面図である。
【図７】トナー固着防止動作を説明するための模式図である。
【図８】トナー固着防止動作時の中間転写ベルトの回転動作及び二次転写バイアス電源の出力バイアスを説明するための模式図である。
【図９】トナー固着防止動作時の中間転写ベルトの回転動作及び二次転写バイアス電源の出力バイアスを説明するための模式図である。
【図１０】本発明を適用し得る画像形成装置の他の実施例の要部概略断面図である。
【図１１】本発明を適用し得る画像形成装置の他の実施例の要部概略断面図である。
【符号の説明】
【００９２】
１        感光ドラム（像担持体、第１の像担持体）
２        帯電ローラ（帯電手段）
３        レーザースキャナ（露光手段）
４        現像器（現像手段）
６        感光体クリーナ（クリーニング手段）
８        中間転写体クリーナ（クリーニング手段）
５１      一次転写ローラ、転写ローラ（転写手段、一次転写手段）
５２      二次転写ローラ（転写手段、二次転写手段）
５０      中間転写ベルト（像担持体、第２の像担持体）
５６      二次転写バイアス電源、転写バイアス電源（バイアス出力手段）
【図１】
2006171129.tif 000003
【図２】
2006171129.tif 000004
【図３】
2006171129.tif 000005
【図４】
2006171129.tif 000006
【図５】
2006171129.tif 000007
【図６】
2006171129.tif 000008
【図７】
2006171129.tif 000009
【図８】
2006171129.tif 000010
【図９】
2006171129.tif 000011
【図１０】
2006171129.tif 000012
【図１１】
2006171129.tif 000013